(57)【特許請求の範囲】
【請求項１】
復調参照信号（ＤＭＲＳ：DeModulation Reference Signal）シーケンス生成に係る初期値を、ＤＭＲＳポートグループのインデックス及びスロットインデックスに基づいて決定し、
前記初期値に係る情報を端末デバイスに送信し、
前記ＤＭＲＳシーケンスを前記端末デバイスにＤＭＲＳポートにおいて送信し、
前記ＤＭＲＳポートグループは、前記ＤＭＲＳポートを含み、
前記スロットインデックスの範囲は、
サブキャリア間隔が１５ｋＨｚである場合、０から９の整数であり、
前記サブキャリア間隔が３０ｋＨｚである場合、０から１９の整数であり、
前記サブキャリア間隔が６０ｋＨｚである場合、０から３９の整数であり、
前記サブキャリア間隔が１２０ｋＨｚである場合、０から７９の整数であり、または、
前記サブキャリア間隔が２４０ｋＨｚである場合、０から１５９の整数である、
ネットワークデバイス。
【請求項２】
前記ＤＭＲＳポートグループに含まれる複数の前記ＤＭＲＳポートは、疑似コロケーション（ＱＣＬ：Quasi-Co-Location）される、
請求項１に記載のネットワークデバイス。
【請求項３】
復調参照信号（ＤＭＲＳ：DeModulation Reference Signal）シーケンス生成に係る初期値に係る情報を、ネットワークデバイスから受信し、
前記ＤＭＲＳシーケンスを、前記ネットワークデバイスから、ＤＭＲＳポートにおいて受信し、
前記ＤＭＲＳシーケンスを、ＤＭＲＳポートグループのインデックス及びスロットインデックスに基づいて決定された前記初期値に基づいて、復調し、
前記ＤＭＲＳポートグループは、前記ＤＭＲＳポートを含み、
前記スロットインデックスの範囲は、
サブキャリア間隔が１５ｋＨｚである場合、０から９の整数であり、
前記サブキャリア間隔が３０ｋＨｚである場合、０から１９の整数であり、
前記サブキャリア間隔が６０ｋＨｚである場合、０から３９の整数であり、
前記サブキャリア間隔が１２０ｋＨｚである場合、０から７９の整数であり、または、
前記サブキャリア間隔が２４０ｋＨｚである場合、０から１５９の整数である、
端末デバイス。
【請求項４】
前記ＤＭＲＳポートグループに含まれる複数の前記ＤＭＲＳポートは、疑似コロケーション（ＱＣＬ：Quasi-Co-Location）される、
請求項３に記載の端末デバイス。
【請求項５】
復調参照信号（ＤＭＲＳ：DeModulation Reference Signal）シーケンス生成に係る初期値を、ＤＭＲＳポートグループのインデックス及びスロットインデックスに基づいて決定し、
前記初期値に係る情報を送信し、
前記ＤＭＲＳシーケンスをＤＭＲＳポートにおいて送信し、
前記ＤＭＲＳポートグループは、前記ＤＭＲＳポートを含み、
前記スロットインデックスの範囲は、
サブキャリア間隔が１５ｋＨｚである場合、０から９の整数であり、
前記サブキャリア間隔が３０ｋＨｚである場合、０から１９の整数であり、
前記サブキャリア間隔が６０ｋＨｚである場合、０から３９の整数であり、
前記サブキャリア間隔が１２０ｋＨｚである場合、０から７９の整数であり、または、
前記サブキャリア間隔が２４０ｋＨｚである場合、０から１５９の整数である、
方法。
【請求項６】
復調参照信号（ＤＭＲＳ：DeModulation Reference Signal）シーケンス生成に係る初期値に係る情報を、受信し、
前記ＤＭＲＳシーケンスを、ＤＭＲＳポートにおいて受信し、
前記ＤＭＲＳシーケンスを、ＤＭＲＳポートグループのインデックス及びスロットインデックスに基づいて決定された前記初期値に基づいて、復調し、
前記ＤＭＲＳポートグループは、前記ＤＭＲＳポートを含み、
前記スロットインデックスの範囲は、
サブキャリア間隔が１５ｋＨｚである場合、０から９の整数であり、
前記サブキャリア間隔が３０ｋＨｚである場合、０から１９の整数であり、
前記サブキャリア間隔が６０ｋＨｚである場合、０から３９の整数であり、
前記サブキャリア間隔が１２０ｋＨｚである場合、０から７９の整数であり、または、
前記サブキャリア間隔が２４０ｋＨｚである場合、０から１５９の整数である、
方法。
【請求項７】
前記ＤＭＲＳポートグループに含まれる複数の前記ＤＭＲＳポートは、疑似コロケーション（ＱＣＬ：Quasi-Co-Location）される、
請求項５又は６に記載の方法。
【発明の詳細な説明】
【技術分野】
【０００１】
本開示の実施形態は、一般に通信の分野に関し、特に、参照信号（ＲＳ：Reference Signal）設定のための方法及びデバイスに関する。
【背景技術】
【０００２】
通信技術の発展に伴い、複数のタイプのサービスまたはトラフィックが提案されており、たとえば、一般に高いデータレートを必要とする拡張モバイルブロードバンド（ｅＭＢＢ：enhanced Mobile BroadBand）、通常は長いバッテリー寿命を必要とする大容量マシン型通信（ｍＭＴＣ：massive Machine Type Communication）、および超高信頼性と低遅延通信（ＵＲＬＬＣ：Ultra-Reliable and Low Latency Communication）がある。一方、ビーム管理、参照信号送信などのマルチアンテナ方式は、新無線アクセスのために研究されている。
【０００３】
ダウンリンク送信では、ネットワークデバイス（たとえば、ｅＮＢ、ｇＮＢ、または送信受信ポイント（ＴＲＰ：Transmission Reception Point））は、ダウンリンク復調参照信号（ＤＭＲＳ：Demodulation Reference Signal）、チャネル状態情報参照信号（ＣＳＩ−ＲＳ：Channel State Information-Reference Signal）、ダウンリンク位相追跡参照信号（ＰＴＲＳ：Phase Tracking Reference Signal）、および時間／周波数追跡参照信号（ＴＲＳ：Tracking Reference Signal）を端末デバイス（たとえば、ユーザ機器（ＵＥ：User Equipment））に送信する。ＲＳを受信すると、端末デバイスは、ネットワークデバイスと端末デバイスとの間のチャネルの品質測定、チャネルの推定などを実行する。一般に、ネットワークデバイスは、ＲＳと、割り当てられたリソースなどの情報を端末デバイスに通知するために、ＲＳ送信の前にＲＳ設定を端末デバイスに送信する。
【０００４】
アップリンク送信では、端末デバイス（ＵＥなど）は、アップリンクＤＭＲＳ、アップリンクＰＴＲＳ、ＳＲＳなどのアップリンクＲＳをネットワークデバイス（ｅＮＢ、ｇＮＢ、ＴＲＰなど）に送信する。ＲＳを受信すると、ネットワークデバイスは、端末デバイスとネットワークデバイスとの間のチャネルの品質測定、チャネルの推定などを実行する。一般に、ネットワークデバイスは、ＲＳと、割り当てられたリソースなどの情報を端末デバイスに通知するために、ＲＳ送信の前にＲＳ設定を端末デバイスに送信する。
【０００５】
従来、ダウンリンクＤＭＲＳのシーケンス（「ＤＭＲＳシーケンス」とも呼ばれる）は固定されており、１つの物理ダウンリンク共有チャネル（ＰＤＳＣＨ：Physical Downlink Shared Channel）に対して同じ初期値で生成される。しかしながら、そのような固定ＤＭＲＳシーケンスは、１つ以上のＴＲＰからの１つのＰＤＳＣＨについて複数のＲＳポート（またはレイヤ）をサポートすることはできない。さらに、アップリンクＤＭＲＳのシーケンスが固定され、１つの物理アップリンク共有チャネル（ＰＵＳＣＨ：Physical Uplink Shared Channel）に対して同じ初期値で生成される。しかしながら、そのような固定ＤＭＲＳシーケンスは、１つ以上のＴＲＰに送信される１つのＰＵＳＣＨのための複数のＲＳポート（またはレイヤ）をサポートすることはできない。
【発明の概要】
【発明が解決しようとする課題】
【０００６】
一般に、本開示の例示的な実施形態は、ＲＳ設定のための方法およびデバイスを提供する。
【課題を解決するための手段】
【０００７】
第１の態様では、ネットワークデバイスで実施される方法が提供される。前記方法によれば、複数のＲＳポートのための１つ以上のＲＳパターンが決定される。ＲＳパターンは、１つ以上のＲＳポートを介して前記ネットワークデバイスと端末デバイスとの間で送信されるＲＳの設定を示す。その後、前記ＲＳパターンの情報が前記端末デバイスに送信される。
【０００８】
第２の態様では、端末デバイスで実行される方法が提供される。前記方法によれば、前記端末デバイスは、前記ネットワークデバイスから、複数のＲＳポートのための１つ以上のＲＳパターンの情報を受信する。ＲＳパターンは、１つ以上のＲＳポートを介して前記ネットワークデバイスと前記端末デバイスとの間で送信されるＲＳの設定を示す。
【０００９】
第３の態様では、ネットワークデバイスが提供される。前記ネットワークデバイスは、プロセッサと、前記プロセッサに結合されたメモリを備える。前記メモリは、前記プロセッサによって実行されると、前記ネットワークデバイスに動作を実行させる命令を保存する。前記動作は、複数のＲＳポートのための１つ以上のＲＳパターンを決定することを含み、ＲＳパターンは、１つ以上のＲＳポートを介して前記ネットワークデバイスと前記端末デバイスとの間で送信されるＲＳの設定を示し、前記動作は、前記ＲＳパターンの情報を前記端末デバイスに送信することを含む。
【００１０】
第４の態様では、端末デバイスが提供される。前記端末デバイスは、プロセッサと、前記プロセッサに結合されたメモリを備える。前記メモリは、前記プロセッサによって実行されると、前記端末デバイスに動作を実行させる命令を格納する。前記動作は、前記ネットワークデバイスから、複数のＲＳポートのための１つ以上のＲＳパターンの情報を受信することを含み、ＲＳターンは、１つ以上のＲＳポートを介して前記ネットワークデバイスと前記端末デバイスとの間で送信されるＲＳの設定を示す。
【００１１】
本開示の他の特徴は、以下の説明を通して容易に理解可能になる。
【図面の簡単な説明】
【００１２】
添付図面における本開示のいくつかの実施形態のより詳細な説明を通じて、本開示の上記および他の目的、特徴、および利点がより明らかになる。
【００１３】
【図１Ａ】図1Ａは、 本開示の実施形態が実装される通信環境の概略図１００である。
【図１Ｂ】図1Ｂは、 本開示の実施形態が実装される通信環境の概略図１６０である。
【００１４】
【図２】図２は、本開示のいくつかの実施形態によるＲＳ設定のための方法２００のフローチャートを示す。
【００１５】
【図３Ａ】図３Ａは、本開示の実施形態によるＲＳパターンの概略図を示す。
【図３Ｂ】図３Ｂは、本開示の実施形態によるＲＳパターンの概略図を示す。
【図３Ｃ】図３Ｃは、本開示の実施形態によるＲＳパターンの概略図を示す。
【図３Ｄ】図３Ｄは、本開示の実施形態によるＲＳパターンの概略図を示す。
【図３Ｅ】図３Ｅは、本開示の実施形態によるＲＳパターンの概略図を示す。
【図３Ｆ】図３Ｆは、本開示の実施形態によるＲＳパターンの概略図を示す。
【００１６】
【図４Ａ】図４Ａは、本開示の実施形態によるＲＳパターンの指示の概略図を示す。
【図４Ｂ】図４Ｂは、本開示の実施形態によるＲＳパターンの指示の概略図を示す。
【図４Ｃ】図４Ｃは、本開示の実施形態によるＲＳパターンの指示の概略図を示す。
【図４Ｄ】図４Ｄは、本開示の実施形態によるＲＳパターンの指示の概略図を示す。
【図４Ｅ】図４Ｅは、本開示の実施形態によるＲＳパターンの指示の概略図を示す。
【００１７】
【図５】図５は、本開示のいくつかの実施形態によるＲＳ設定のための方法５００のフローチャートを示す。
【００１８】
【図６】図６は、本開示のいくつかの実施形態によるネットワークデバイス600のブロック図を示す。
【００１９】
【図７】図７は、本開示のいくつかの実施形態による端末デバイス700のブロック図を示す。
【００２０】
【図８】図８は、本開示の実施形態を実施するのに適したデバイス８００の簡略化されたブロック図である。
【００２１】
図面全体を通して、同じまたは類似の参照番号は、同じまたは類似の要素を表す。
【発明を実施するための形態】
【００２２】
本開示の原理は、いくつかの例示的な実施形態を参照して説明される。これらの実施形態は、例示のみを目的として記載されており、本開示の範囲に関する制限を示唆することなく、当業者が本開示を理解および実施するのを助けることを理解されたい。本明細書で説明される開示は、以下で説明されるもの以外の様々な方法で実装される。
【００２３】
以下の説明および特許請求の範囲において、別途定義されない限り、本明細書で使用されるすべての技術用語および科学用語は、本開示が属する分野の当業者によって一般に理解されるのと同じ意味を有する。
【００２４】
本明細書で使用される場合、「ネットワークデバイス」または「基地局」（ＢＳ：Base Station）という用語は、端末デバイスが通信できるセルまたはカバレッジを提供またはホストできるデバイスを指す。ネットワークデバイスの例には、ノードＢ（ＮｏｄｅＢまたはＮＢ）、ＥｖｏｌｖｅｄノードＢ（ｅＮｏｄｅＢまたはｅＮＢ）、次世代ノードＢ（ｇＮＢ）、送受信ポイント（ＴＲＰ：Transmission Reception Point）、リモート無線ユニット（ＲＲＵ：Remote Radio Unit）、無線ヘッド（ＲＨ：Radio Head）、リモート無線ヘッド（ＲＲＨ：Remote Radio Head）、フェムトノードやピコノードなどの低電力ノード、を含むが、それには限定されない。議論の目的のために、以下では、ネットワークデバイスの例としてＴＲＰを参照していくつかの実施形態を説明する。
【００２５】
本明細書で使用される「端末デバイス」という用語は、無線または有線の通信機能を有する任意の装置を指す。端末デバイスの例には、ユーザ機器（ＵＥ：User Equipment）、パーソナルコンピュータ、デスクトップ、移動電話、セルラー電話、スマートフォン、携帯情報端末（ＰＤＡ：Personal Digital Assistant）、ポータブルコンピュータ、デジタルカメラなどの画像キャプチャデバイス、ゲームデバイス、音楽ストレージおよび再生機器、または無線または有線インターネットアクセスおよびブラウジングなどを可能にするインターネット機器、が含まれますが、これらに限定されない。議論の目的のために、以下では、端末デバイスの例としてＵＥを参照していくつかの実施形態を説明する。
【００２６】
本明細書で使用される単数形「１つ（ａ）」、「１つ（ａｎ）」、および「この（ｔｈｅ）」は、文脈からそうでないことが明確に示されていない限り、複数形も含むことを意図している。「含む」という用語とその変形は、「含むがこれに限定されない」ことを意味するオープンな用語として読まれる。「に基づいて」という用語は、「少なくとも部分的に基づいて」と読まれる。「一実施形態」および「実施形態」という用語は、「少なくとも一実施形態」と読まれる。「別の実施形態」という用語は、「少なくとも１つの他の実施形態」と読まれる。「第１」、「第２」などの用語は、異なるオブジェクトまたは同じオブジェクトを指す。明示的および暗黙的なその他の定義を以下に含める。
【００２７】
本開示で説明する通信は、新無線（ＮＲ：New Radio）アクセス、ロングタームエボリューション（ＬＴＥ：Long Term Evolution）、ＬＴＥエボリューション、ＬＴＥアドバンスト（ＬＴＥ−Ａ：LTE-Advanced）、広帯域符号分割多重アクセス（ＷＣＤＭＡ：Wideband Code Division Multiple Access）、符号分割多元アクセス（ＣＤＭＡ：Code Division Multiple Access）、およびモバイル通信用グローバルシステム（ＧＳＭ：Global System for Mobile）など、を含むがこれらに限定されない任意の適切な規格に準拠してもよい。さらに、通信は、現在知られているか、将来開発されるいずれかの世代の通信プロトコルに従って実行されてもよい。通信プロトコルの例には、第１世代（１Ｇ）、第２世代（２Ｇ）、２．５Ｇ、２．７５Ｇ、第３世代（３Ｇ）、第４世代（４Ｇ）、４．５Ｇ、第５世代（５Ｇ）の通信プロトコルが含まれる。
【００２８】
図１Ａは、本開示の実施形態が実装され得る例示的な通信ネットワーク１００を示す。ネットワーク１００は、ネットワークデバイス１１０および端末デバイス１２０を含む。ネットワークデバイス１１０は、参照信号（例えば、ダウンリンクＤＭＲＳシーケンス）を端末デバイス１２０に送信する。例えば、ネットワークデバイス１１０は、１つのＰＤＳＣＨ内の（Ｍ＋Ｎ）個のＲＳポート（略して「ポート」と呼ばれる）を介して、ＲＳを送信する。言い換えれば、図１Ａは、１つのＴＲＰからの１つのＰＤＳＣＨ内の合計でＭ＋Ｎレイヤのシナリオを示す。
【００２９】
一方、図１Ａは、通信ネットワーク１００におけるアップリンク送信も示す。特に、端末デバイス１２０は、参照信号（例えば、アップリンクＤＭＲＳシーケンス）をネットワークデバイス１１０に送信する。例えば、端末デバイス１２０は、１つのＰＵＳＣＨ内の（Ｍ＋Ｎ）個のＲＳポート（略して「ポート」と呼ばれる）を介して、ＲＳを送信する。言い換えれば、図１Ａは、１つのＴＲＰに送信された１つのＰＵＳＣＨ内の合計でＭ＋Ｎレイヤのシナリオも示す。
【００３０】
図１Ｂは、本開示の実施形態を実施することができる別の例示的な通信ネットワーク１６０を示す。ネットワーク１６０は、２つのネットワークデバイス１１０および１３０と、端末デバイス１２０とを含む。ネットワークデバイス１１０および１３０は、それぞれ、参照信号を端末デバイス１２０に送信する。特に、ネットワークデバイス１１０は、Ｍ個のＲＳポートを介して、端末デバイス１２０にＤＭＲＳシーケンスを送信し、ネットワークデバイス１１０は、Ｎ個のＲＳポートを介して、端末デバイス１２０にＤＭＲＳシーケンスを送信する。両方のＤＭＲＳ送信は、１つのＰＤＳＣＨで行われる。言い換えれば、図１Ｂは、２つのＴＲＰからの１つのＰＤＳＣＨ内の合計でＭ＋Ｎレイヤのシナリオを示す。
【００３１】
一方、図１Ｂは、通信ネットワーク１００におけるアップリンク送信も示す。特に、端末デバイス１２０は、ネットワークデバイス１１０および１３０にそれぞれ参照信号を送信する。特に、端末デバイス１２０は、Ｍ個のＲＳポートを介して、ネットワークデバイス１１０にＤＭＲＳシーケンスを送信し、端末デバイス１２０は、Ｎ個のＲＳポートを介して、ネットワークデバイス１３０にＤＭＲＳシーケンスを送信する。両方のＤＭＲＳ送信は、１つのＰＵＳＣＨで行われる。言い換えれば、図１Ｂは、２つのＴＲＰに送信された１つのＰＵＳＣＨのＭ＋Ｎレイヤシナリオも示す。
【００３２】
基地局および端末デバイスの数は、制限を示唆することなく、例示のみを目的とすることを理解されたい。ネットワーク１００および１６０は、本開示の実施形態を実装するように適合された任意の適切な数のネットワークデバイスおよび／または端末デバイスを含んでもよい。
【００３３】
従来、異なるＲＳポートは、１つのＰＤＳＣＨおよび／または１つのＰＵＳＣＨで同じＤＭＲＳシーケンスのみを送信することができる。言い換えれば、ＤＭＲＳシーケンスは固定され、１つのＰＤＳＣＨおよび／または１つのＰＵＳＣＨに対して同じ初期値で生成される。しかしながら、１つのＰＤＳＣＨおよび／または１つのＰＵＳＣＨの複数のＲＳポートを介して送信される異なるＤＭＲＳシーケンスをサポートするメカニズムはない。
【００３４】
上記の問題および他の潜在的な問題の１つまたは複数を解決するために、本開示の例示的な実施形態によるＲＳ設定の解決策が提供される。一実施形態では、柔軟なＲＳパターンは、１つ以上のＴＲＰから複数のＲＳポート（またはレイヤ）に提供されてもよく、例えば、ＲＳポートは１つのＰＤＳＣＨに対して送信されてもよい。別の実施形態では、柔軟なＲＳパターンは、１つ以上のＴＲＰに送信される複数のＲＳポート（またはレイヤ）に提供されてもよく、例えば、ＲＳポートは１つのＰＵＳＣＨに対して送信されてもよい。このようにして、追加のシグナリングオーバーヘッドが増加することなく、ＲＳ設定の柔軟性を実現できる。
【００３５】
本開示の原理および実装形態は、図２から図８を参照して以下で詳細に説明され、図２は、本開示のいくつかの実施形態によるＲＳ設定のための方法２００のフローチャートを示す。方法２００により、従来のアプローチにおける上記および他の潜在的な欠陥を克服することができる。方法２００は、ネットワークデバイス１１０または１３０などのネットワークデバイス、または他の適切なデバイスによって実施できることを当業者は理解する。
【００３６】
方法２００は２１０で開始され、複数のＲＳポートに対して１つ以上のＲＳパターンが決定される。ＲＳパターンは、１つ以上のＲＳポートを介してネットワークデバイスと端末デバイスとの間で送信されるＲＳの設定を示す。いくつかの実施形態では、ＲＳパターンは、１つまたは複数のＲＳポートを介して端末デバイスに送信されるＲＳの設定を示す。代替的または追加的に、ＲＳパターンは、１つまたは複数のＲＳポートを介して端末デバイスから送信されるＲＳの設定も示す。
【００３７】
本開示の実施形態によれば、ＲＳは、ダウンリンク復調参照信号（ＤＭＲＳ：Demodulation Reference Signal）、アップリンク復調参照信号（ＤＭＲＳ：Demodulation Reference Signal）、チャネル状態情報参照信号（ＣＳＩ−ＲＳ：Channel State Information Reference Signal）、サウンディング参照信号（ＳＲＳ：Sounding Reference Signal）、位相追跡参照信号（ＰＴＲＳ：Phase Tracking Reference Signal）、追跡参照信号（ＴＲＳ：Tracking Reference Signal）などのうちの１つ以上を含んでもよい。議論の目的で、本開示のいくつかの実施形態は、ＲＳの例としてＤＭＲＳを参照して説明される。
【００３８】
いくつかの実施形態では、１つ以上のＲＳシーケンスがＲＳポートを介して送信され、ＲＳシーケンスは１つまたはいくつかの初期値から生成されてもよい。
【００３９】
いくつかの実施形態では、ＲＳポートは複数のＲＳポートグループに分割されてもよい。次いで、ＲＳパターンは、複数のＲＳポートグループのそれぞれについて決定されてもよい。ＲＳポートは、例えば、システム条件、標準要件、時間／周波数オフセット、遅延拡散、周波数拡散などのいくつかの方法で分割されてもよい。一実施形態では、ＲＳポートは、複数の疑似コロケーション（ＱＣＬ：Quasi-Co-Location）グループに分割されてもよい。この場合、ＲＳポートグループはＱＣＬグループであってもよい。一実施形態では、１つのグループ内のＲＳポートはＱＣＬｅｄ（Quasi-Co-Located）であってもよい。別の実施形態では、異なるグループのＲＳポートは非ＱＣＬ化されてもよい。
【００４０】
いくつかの実施形態では、ＲＳパターンは、ＲＳポートまたはＲＳポートグループのＲＳポートを介して送信されるＲＳを生成するための初期値、ＲＳポートまたはＲＳポートグループによって使用されるシンボルの数の情報、ＲＳポートまたはＲＳポートグループによって使用されるリソース要素の情報、ＲＳポートまたはＲＳポートグループの多重化モード、ＲＳポートグループの情報などのような要因を含んでもよい。したがって、ＲＳパターンは、上記の要因の１つ以上を決定することにより決定される。
【００４１】
一例として、ＲＳを生成するための初期値は、スロットインデックス、シンボルインデックス、セルの識別（例えばセルＩＤ）、およびＴＲＰの識別、端末デバイスの識別、無線ネットワーク一時的識別（ＲＮＴＩ：Radio Network Temporary Identity）、巡回プレフィックス（ＣＰ：Cyclic Prefix）タイプ、リンクタイプ（例えば、ダウンリンクまたはアップリンクまたはサイドリンクなど）、ＲＳポートグループのインデックス、ＱＣＬパラメータセットのインデックス、スクランブリング識別パラメータ、スクランブリング識別パラメータが示された上位レイヤ、ＤＭＲＳ設定タイプの識別、帯域幅部分の識別、キャリアコンポーネントの識別、サブキャリア間隔の識別などのうち少なくとも１つに基づいて決定されてもよい。
【００４２】
本開示の実施形態によれば、異なるＲＳポートまたは異なるＲＳポートグループは、ＲＳシーケンス生成のための独立した初期値を有してもよい。シーケンス（Ｒｉとして示される）は、擬似ノイズ（ＰＮ：Pseudo-noise）シーケンスで定義でき、ＰＮシーケンス生成は初期値Ｃｉｎｉｔで初期化される。
【００４３】
いくつかの実施形態では、異なるＲＳポートまたはＲＳポートグループは、独立したＲＳシーケンスを有してもよい。一実施形態では、１つのＰＤＳＣＨまたはＰＵＳＣＨに対応するＤＭＲＳポートについて、異なるＤＭＲＳポートまたは異なるＤＭＲＳポートグループは、独立したＲＳシーケンスおよび／またはＲＳシーケンス生成のための独立した初期値を有してもよい。一実施形態では、同じ時間および／または周波数リソースにおける１つのＵＥの複数のＰＤＳＣＨまたは複数のＰＵＳＣＨまたは複数のＰＤＣＣＨに対応するＤＭＲＳポートについて、異なるＤＭＲＳポートまたは異なるＤＭＲＳポートグループは、ＲＳシーケンス生成のための独立したＲＳシーケンスおよび／または独立した初期値を有することができる。
【００４４】
いくつかの実施形態では、１つのＰＴＲＳポートは、１つのＤＭＲＳポートグループ内の１つのＤＭＲＳポートに関連付けられる。複数のＰＴＲＳポートの場合、ＰＴＲＳポートは異なるＤＭＲＳポートに関連付けられていていてもよい。一実施形態では、ＰＴＲＳシーケンスは、関連するＤＭＲＳポートのシーケンスと同じであり得る。別の実施形態では、１つのＰＤＳＣＨまたはＰＵＳＣＨによる複数のＤＭＲＳグループに対して、複数のＰＴＲＳポートが存在し得る。異なるＰＴＲＳポートでのＰＴＲＳシーケンスは独立していてもよい。例えば、ＰＴＲＳシーケンスは、ＱＣＬパラメータセットの少なくとも１つのパラメータで計算された独立した初期値で生成されてもよい。
【００４５】
いくつかの実施形態では、初期値Ｃｉｎｉｔは、スロットインデックスｎｓ、シンボルインデックス  ｌ、セル＿ＩＤ  ＮＩＤ、ＵＥ＿ＩＤ  ＵＩＤ、ＲＮＴＩ  ｎＲＮＴＩ、ＣＰタイプＮＣＰ、リンクタイプＮｌｉｎｋ＿ｔｙｐｅ、ＲＳポートグループインデックスＧｉ、ＱＣＬパラメータセットインデックスＱｉ、スクランブリング識別パラメータ１  ＳＩＤ、スクランブリング識別パラメータ２  ｎＳＣＩＤ、帯域幅部分ＩＤ  ＢＩＤ、キャリアコンポーネントＩＤ  ＣＩＤ、サブキャリア間隔ＩＤ  ＳＣＩＤなどのうち少なくとも１つに関係するパラメータで計算されてもよい。例では、初期値Ｃｉｎｉｔは次のようにして取得できる。
0006784341.tif 000002
ここで、ａｉは係数、ｉ＝０、１、．．．１３であり、任意の係数はゼロにすることができる。ａｉ＝０の場合、対応するパラメータが初期値の計算に含まれていないことを意味する。一実施形態では、Ｘはパラメータの１つであり、Ｙはパラメータの別の１つであり、ｂｊは２つ以上のパラメータの積の係数であり、ｊは負の整数ではなく、係数のいずれもゼロであってもよい。ｂｊ＝０の場合、２つ以上のパラメータの対応する積が初期値の計算に含まれないことを意味する。一実施形態では、ｂｊの係数がない場合があり、すなわち、初期値の計算に２つ以上のパラメータの積がない場合がある。いくつかの実施形態では、初期値は１つ以上のビットで実装されてもよい。
【００４６】
別の例では、初期値Ｃｉｎｉｔは次のようにして取得できる。
0006784341.tif 000003
ここで、ａｉは係数、ｉ＝０、１、．．．１３であり、任意の係数はゼロにすることができる。ａｉ＝０の場合、対応するパラメータが初期値の計算に含まれていないことを意味する。Ｋはスロットインデックスの係数の１つであり、Ｋは１以上の整数である。一実施形態では、Ｘはパラメータの１つであり、ｂ０は、
0006784341.tif 000004
と、別の１つ以上のパラメータと、の積の係数である。ｂ０＝０の場合、
0006784341.tif 000005
と、別の１つ以上のパラメータと、の対応する積が初期値の計算に含まれないことを意味する。Ｙはパラメータの１つ、Ｚはパラメータの別の１つ、ｂｊは２つ以上のパラメータの積の係数、ｊは１以上の正の整数であり、いずれの係数もゼロにすることができる。ｂｊ＝０の場合、２つ以上のパラメータの対応する積が初期値の計算に含まれないことを意味する。一実施形態では、ｂｊの係数がない場合があり、すなわち、初期値の計算に２つ以上のパラメータの積がない場合がある。いくつかの実施形態では、初期値は１つ以上のビットで実装されてもよい。
【００４７】
いくつかの実施形態では、ＵＥは、スロットインデックスｎｓ、シンボルインデックスｌ、セル＿ＩＤ  ＮＩＤ、ＵＥ＿ＩＤ  ＵＩＤ、ＲＮＴＩ  ｎＲＮＴＩ、ＣＰタイプＮＣＰ、リンクタイプＮｌｉｎｋ＿ｔｙｐｅ、ＲＳポートグループインデックスＧｉ、ＱＣＬパラメータセットインデックスＱｉ、スクランブリング識別パラメータ１  ＳＩＤ、スクランブリング識別パラメータ２  ｎＳＣＩＤ、帯域幅部分ＩＤ  ＢＩＤ、キャリアコンポーネントＩＤ  ＣＩＤ、サブキャリア間隔ＩＤ  ＳＣＩＤ、１スロット内のシンボル数、キャリア周波数範囲、ＲＳポートの数、物理リソースの数などのうち少なくとも１つのパラメータを取得すことができる。たとえば、パラメータについては、ＵＥを設定したり、ＵＥを検出したり、ネットワークデバイスから送信された他の情報を通じてＵＥを推測したりできる。いくつかの実施形態では、パラメータの少なくとも１つは、１つ以上の値を有してもよい。いくつかの実施形態では、異なるパラメータの少なくとも１つ、および／またはパラメータの少なくとも１つの異なる値について、ＲＳ生成の初期値は異なっていてもよい。
【００４８】
いくつかの実施形態では、パラメータの少なくとも１つが異なる値で設定される場合、ＲＳ生成の初期値のビット数は異なる場合がある。たとえば、パラメータは、サブキャリア間隔の値、１サブフレームまたは１ｍｓまたは１０ｍｓ内のスロットの数、１スロット内のシンボルの数、キャリア周波数の値、および、同期信号バースト内の同期信号（ＳＳ：Synchronization Signal）ブロックの数のうち、少なくとも１つを含む。一実施形態では、少なくとも１つのパラメータの異なる値は、Ｒ個のサブセットに分割されてもよい。サブセットごとに、値の少なくとも１つを含めることができる。異なるサブセットでは、ＲＳシーケンス生成のための初期値のビットの数は、異なってもよい。具体的には、ｉ＝１、２、…Ｒのサブセットｐｉの場合、初期値のビットの数はｄｉになる。たとえば、異なるサブセットの値は、重複せず、または、部分的に重複する場合がある。別の例では、異なるサブセットの値の数は異なっていても同じでもよい。さらに別の例では、各サブセットの値の数は１であり、すなわち、異なる値のグループ化はない場合がある。
【００４９】
いくつかの実施形態では、パラメータの少なくとも１つが異なる値で設定される場合、式（１）および／または式（２）の少なくとも１つの係数は、異なる値および／または異なる値のセットおよび／または設定されたパラメータの少なくとも１つの異なる値に応じて異なる数の値を有してもよい。
【００５０】
いくつかの実施形態では、パラメータの少なくとも１つが異なる値で設定される場合、初期値の計算に関係する少なくとも１つのパラメータは、異なる値および／または異なる値のセットおよび／または異なる最大値および／または異なる数の値を有してもよい。
【００５１】
いくつかの実施形態では、少なくとも１つのパラメータが異なる値で設定される場合、初期値の計算に関係するパラメータは異なる場合がある。言い換えれば、例えば、少なくとも１つのパラメータが１つの値で設定される場合、パラメータのセットは初期値の計算に関係する場合がある。少なくとも１つのパラメータが別の値で設定される場合、パラメータの別のセットが初期値の計算に関係する場合がある。いくつかの実施形態では、少なくとも１つのパラメータがいくつかの固定値で設定される場合、少なくとも１つのパラメータは初期値の計算に関係してもよい。言い換えれば、少なくとも１つのパラメータが別の値で設定される場合、少なくとも１つのパラメータは初期値の計算に関係しなくてもよい。
【００５２】
一実施形態では、サブキャリア間隔値は異なる値で設定されてもよく、例えば、値は｛１５ｋＨｚ、３０ｋＨｚ、６０ｋＨｚ、１２０ｋＨｚ、２４０ｋＨｚ、４８０ｋＨｚ｝のうちの１つであってもよい。サブキャリア間隔の値が異なる値で設定されている場合、スロットインデックスおよび／またはシンボルインデックスの係数は異なる値を持ってもよい。一例では、サブキャリア間隔値が異なる値で設定される場合、式（１）で、係数値ａ０および／またはａ１および／またはｂｊは異なる値を持ってもよい。別の例では、サブキャリア間隔値が異なる値で設定される場合、式（２）で、係数ａ０および／またはａ１および／またはＫおよび／またはｂ０は異なる値を持ってもよい。一例では、サブキャリア間隔値が１５ｋＨｚで設定される場合、式（２）の値Ｋは、１および／または２および／または１０および／または２０であってもよい。別の例では、サブキャリア間隔値が３０ｋＨｚで設定される場合、式（２）の値Ｋは、２および／または４および／または２０および／または４０であってもよい。別の例では、サブキャリア間隔値が６０ｋＨｚで設定される場合、式（２）の値Ｋは、４および／または８および／または４０および／または８０であってもよい。サブキャリア間隔値が１２０ｋＨｚで設定される場合、式（２）の値Ｋは、８および／または８０であってもよい。サブキャリア間隔値が２４０ｋＨｚで設定される場合、式（２）の値Ｋは、１６および／または１６０であってもよい。別の例では、サブキャリア間隔値が４８０ｋＨｚで設定される場合、式（２）の値Ｋは、３２および／または３２０であってもよい。
【００５３】
一実施形態では、サブキャリア間隔値は異なる値で設定されてもよく、例えば、値は｛１５ｋＨｚ、３０ｋＨｚ、６０ｋＨｚ、１２０ｋＨｚ、２４０ｋＨｚ、４８０ｋＨｚ｝のうちの１つであってもよい。サブキャリア間隔値が異なる値で設定されている場合、ＣＰタイプの係数は異なる値を持ってもよい。一例では、サブキャリア間隔値が異なる値で設定される場合、式（１）で、係数値ａ４および／またはｂｊは異なる値を持ってもよい。別の例では、サブキャリア間隔値が異なる値で設定される場合、式（２）で、係数ａ４および／またはｂｊ（ｊ＞＝１）は異なる値を持ってもよい。
【００５４】
別の実施形態では、サブキャリア間隔値は、値のセットで設定されてもよい。たとえば、値のセットは、｛１５ｋＨｚ、３０ｋＨｚ、６０ｋＨｚ、１２０ｋＨｚ、２４０ｋＨｚ、４８０ｋＨｚ｝のうち少なくとも１つであってもよい。一実施形態では、サブキャリア間隔値がセット内のいくつかの値で設定される場合、ＣＰタイプは初期値の計算に関係していなくてもよい。別の実施形態では、サブキャリア間隔値がセット内の値のいくつかで設定される場合にのみ、ＣＰタイプは初期値の計算に関係してもよい。一例では、サブキャリア間隔値が６０ｋＨｚで設定される場合、ＣＰタイプは初期値の計算に関係してもよい。別の例では、サブキャリア間隔が６０ｋＨｚ以外の値で設定される場合、ＣＰタイプは初期値の計算に関係しなくてもよい。別の例では、サブキャリア間隔値が６０ｋＨｚで設定される場合、ＣＰタイプａ４の係数値はゼロ以外になってもよい。別の例では、サブキャリア間隔が６０ｋＨｚ以外の値で設定される場合、ＣＰタイプａ４の係数値はゼロになってもよい。
【００５５】
一実施形態では、１つのスロット内のシンボルの数は異なる値で設定されてもよく、例えば、サブキャリア間隔値が｛１５ｋＨｚ、３０ｋＨｚ｝のいずれかで設定されるとき、値は７および／または１４であってもよい。サブキャリア間隔値が６０ｋＨｚで設定され、ＣＰタイプが通常のＣＰで設定される場合、値は７および／または１４であってもよい。サブキャリア間隔値が６０ｋＨｚで設定され、ＣＰタイプが拡張ＣＰで設定される場合、値は６および／または１２であってもよい。サブキャリア間隔値が｛１２０ｋＨｚ、２４０ｋＨｚ、４８０ｋＨｚ｝のいずれかで設定される場合、値は１４であってもよい。１つのスロット内のシンボルの数が異なる値で設定される場合、スロットインデックスおよび／またはシンボルインデックスの係数は異なる値を持ってもよい。一例では、１つのスロット内のシンボルの数が異なる値で設定される場合、式（１）で、係数値ａ０および／またはａ１および／またはｂｊは異なる値を有してもよい。別の例では、１つのスロット内のシンボルの数が異なる値で設定される場合、式（２）で、係数ａ０および／またはａ１および／またはＫおよび／またはｂ０は異なる値を有してもよい。一例では、１つのスロット内のシンボルの数が７で設定され、サブキャリア間隔値が１５ｋＨｚで設定される場合、式（２）の値Ｋは、２および／または２０であってもよい。別の例では、１つのスロット内の数が１４で設定され、サブキャリア間隔値が１５ｋＨｚで設定される場合、式（２）の値Ｋは、１および／または１０であってもよい。別の例では、１つのスロット内のシンボル数が７で設定され、サブキャリア間隔値が３０ｋＨｚで設定される場合、式（２）の値Ｋは、４および／または４０でであってもよい。別の例では、１つのスロット内のシンボル数が１４で設定され、サブキャリア間隔値が３０ｋＨｚで設定される場合、式（２）の値Ｋは、２および／または２０でであってもよい。別の例では、１つのスロット内のシンボルの数が７および／または６で設定され、サブキャリア間隔値が６０ｋＨｚで設定される場合、式（２）の値Ｋは、８および／または８０であってもよい。別の例では、１つのスロット内のシンボルのシンボルは１４および／または１２で設定され、サブキャリア間隔値は６０ｋＨｚで設定される場合、式（２）の値Ｋは、４および／または４０であってもよい。
【００５６】
いくつかの実施形態では、初期値は、持続時間内に変更されてもよい。いくつかの実施形態では、初期値は、持続時間後に繰り返されてもよい。例えば、初期値は、タイミング位置で計算されてもよく、タイミング位置からの持続時間内に同じまたは異なる値を有してもよい。そして、タイミング位置から持続時間後に初期値が繰り返される。いくつかの実施形態では、持続時間は、サブキャリア間隔値および／または１つのスロット内のシンボルの数に基づいてもよい。例えば、持続時間は、サブキャリア間隔値および／または１つのスロット内のシンボルの数に基づいて、１つまたはいくつかのスロットであってもよい。一実施形態では、持続時間はＬｍｓに固定されてもよい。一実施形態では、持続時間は１ｍｓ、すなわち、１つのサブフレームの持続時間に固定されてもよい。
【００５７】
一実施形態では、サブキャリア間隔値は異なる値で設定されてもよく、例えば、値は｛１５ｋＨｚ、３０ｋＨｚ、６０ｋＨｚ、１２０ｋＨｚ、２４０ｋＨｚ、４８０ｋＨｚ｝のうちの１つであってもよい。サブキャリア間隔値が異なる値で設定される場合、スロットインデックスおよび／またはシンボルインデックスの値および／または範囲および／または最大値は異なってもよい。一例では、サブキャリア間隔値が１５ｋＨｚで設定される場合、スロットインデックスの値は、｛０｝または｛０、１｝または｛０、１、…９｝または｛０、１、２、…１９｝のうち少なくとも１つであってもよい。別の例では、サブキャリア間隔値が１５ｋＨｚで設定される場合、スロットインデックスの最大値は０または１または９または１９であってもよい。別の例では、サブキャリア間隔値が１５ｋＨｚで設定される場合、スロットインデックスの値の数は１または２または１０または２０であってもよい。別の例では、サブキャリア間隔値が３０ｋＨｚで設定される場合、スロットインデックスの値は｛０，１｝または｛０、１、２、３｝または｛０、１、２、３…１９｝または｛０、１、２、…３９｝のうち少なくとも１つであってもよい。別の例では、サブキャリア間隔値が３０ｋＨｚで設定される場合、スロットインデックスの最大値は１または３または１９または３９であってもよい。別の例では、サブキャリア間隔値が３０ｋＨｚで設定される場合、スロットインデックスの値の数は２または４または２０または４０であってもよい。別の例では、サブキャリア間隔値が６０ｋＨｚで設定される場合、スロットインデックスの値は｛０、１、２、３｝または｛０、１、２、３、４、５、６、７｝または｛０、１、２、３…３９｝または｛０、１、２、…７９｝のうち少なくとも１つであってもよい。別の例では、サブキャリア間隔値が６０ｋＨｚで設定される場合、スロットインデックスの最大値は４または７または３９または７９であってもよい。別の例では、サブキャリア間隔値が６０ｋＨｚで設定される場合、スロットインデックスの値の数は４または８または４０または８０であってもよい。別の例では、サブキャリア間隔値が１２０ｋＨｚで設定される場合、スロットインデックスの値は、｛０、１、２、３、４、５、６、７｝または｛０、１、２、…７９｝のうち少なくとも１つであってもよい。別の例では、サブキャリア間隔値が１２０ｋＨｚで設定される場合、スロットインデックスの最大値は７または７９であってもよい。別の例では、サブキャリア間隔値が１２０ｋＨｚで設定される場合、スロットインデックスの値の数は８または８０であってもよい。別の例では、サブキャリア間隔値が２４０ｋＨｚで設定される場合、スロットインデックスの値は、｛０、１、２、３、…１５｝または｛０、１、２、…１５９｝のうち少なくとも１つであってもよい。別の例では、サブキャリア間隔値が２４０ｋＨｚで設定される場合、スロットインデックスの最大値は１５または１５９であってもよい。別の例では、サブキャリア間隔値が２４０ｋＨｚで設定される場合、スロットインデックスの値の数は１６または１６０であってもよい。別の例では、サブキャリア間隔値が４８０ｋＨｚで設定される場合、スロットインデックスの値は｛０、１、２、３、…３１｝または｛０、１、２、…３１９｝であってもよい。別の例では、サブキャリア間隔値が４８０ｋＨｚで設定される場合、スロットインデックスの最大値は３１または３１９であってもよい。別の例では、サブキャリア間隔値が４８０ｋＨｚで設定される場合、スロットインデックスの値の数は３２または３２０であってもよい。
【００５８】
一例では、サブキャリア間隔値が１５ｋＨｚで設定される場合、｛０、１、…６｝または｛０、１、２、…１３｝のセットが少なくとも１つあり、シンボルインデックスの値は、各セットの値のうち少なくとも１つであってもよい。別の例では、サブキャリア間隔値が３０ｋＨｚで設定される場合、｛０、１、…６｝または｛０、１、２、…１３｝のセットが少なくとも１つあり、シンボルインデックスの値は、各セットの値のうち少なくとも１つであってもよい。別の例では、サブキャリア間隔値が６０ｋＨｚで設定される場合、｛０、１、…６｝または｛０、１、２、…１３｝または｛０、１、…５｝または｛０、１、…１１｝のセットが少なくとも１つあり、シンボルインデックスの値は、各セットの値のうち少なくとも１つであってもよい。別の例では、サブキャリア間隔値が１２０ｋＨｚまたは２４０ｋＨｚまたは４８０ｋＨｚで設定される場合、シンボルインデックスの値は、｛０、１、…１３｝のうち少なくとも１つであってもよい。
【００５９】
一実施形態では、サブキャリア間隔値は異なる値で設定されてもよく、例えば、値は｛１５ｋＨｚ、３０ｋＨｚ、６０ｋＨｚ、１２０ｋＨｚ、２４０ｋＨｚ、４８０ｋＨｚ｝のうちの１つであってもよい。サブキャリア間隔値が異なる値で設定される場合、ＣＰタイプＮＣＰの値や値の数は異なってもよい。一例では、サブキャリア間隔値が１５ｋＨｚまたは３０ｋＨｚまたは１２０ｋＨｚまたは２４０ｋＨｚまたは４８０ｋＨｚで設定される場合、ＣＰタイプＮＣＰはゼロに固定されてもよい。または、ＣＰタイプの値の数は１であってもよい。別の例では、サブキャリア間隔値が６０ｋＨｚで設定される場合、ＣＰタイプＮＣＰは０または１であってもよい。または、ＣＰタイプの値の数は２であってもよい。たとえば、巡回プレフィックスが通常のＣＰで設定される場合、ＣＰタイプパラメータＮＣＰは０であってもよい。たとえば、巡回プレフィックスが拡張ＣＰで設定される場合、ＣＰタイプパラメータＮＣＰは１であってもよい。
【００６０】
一実施形態では、１つのスロット内のシンボルの数は異なる値で設定されてもよく、例えば、サブキャリア間隔値が｛１５ｋＨｚ、３０ｋＨｚ｝のいずれかで設定されるとき、値は７および／または１４であってもよい。サブキャリア間隔値が６０ｋＨｚで設定され、ＣＰタイプが通常のＣＰで設定される場合、値は７および／または１４であってもよい。サブキャリア間隔値が６０ｋＨｚで設定され、ＣＰタイプが拡張ＣＰで設定される場合、値は６および／または１２であってもよい。サブキャリア間隔値が｛１２０ｋＨｚ、２４０ｋＨｚ、４８０ｋＨｚ｝のいずれかで設定される場合、値は１４であってもよい。１つのスロット内のシンボルの数が異なる値で設定される場合、シンボルインデックスは異なる値を有してもよい。
【００６１】
いくつかの実施形態では、異なるＤＭＲＳポートまたはＤＭＲＳポートグループまたはＱＣＬパラメータセットについて、ＤＭＲＳシーケンスおよび／またはＤＭＲＳシーケンス生成の初期値は、独立して設定されてもよい。具体的には、ＤＭＲＳシーケンスおよび／またはＤＭＲＳシーケンス生成の初期値は、異なるＴＲＰ／セルのセルＩＤの値に関連付けてもよい。例として、ＴＲＰ１からＲＳにＱＣＬされたＤＭＲＳポートまたはＤＭＲＳポートグループの場合、ＤＭＲＳシーケンスおよび／またはＤＭＲＳシーケンス生成の初期値は、ＴＲＰ１のセルＩＤに関連付けられてもよい。ＴＲＰ２からＲＳにＱＣＬされたＤＭＲＳポートまたはＤＭＲＳポートグループの場合、ＤＭＲＳシーケンスおよび／またはＤＭＲＳシーケンス生成の初期値は、ＴＲＰ２のセルＩＤに関連付けられてもよい。
【００６２】
いくつかの実施形態では、スクランブリング識別パラメータＳＩＤは、初期値Ｃｉｎｉｔの計算に関係するパラメータの１つであってもよい。パラメータＳＩＤの値は、異なるＤＭＲＳポート、ＤＭＲＳポートグループ、またはＱＣＬパラメータセットに対して個別に設定されてもよい。たとえば、上位レイヤによって値が提供されない場合、１つのセルまたはＴＲＰの値は固定されてもよい。たとえば、値はセルＩＤと同じであってもよい。別の例では、パラメータＳＩＤの値は、ＱＣＬパラメータ内で提供されてもよい。異なるＱＣＬパラメータセットの場合、パラメータＳＩＤの値は、同じでも異なっていてもよい。一実施形態では、異なるＤＭＲＳポートまたは異なるＤＭＲＳポートグループまたは異なるＱＣＬパラメータについて、値ＳＩＤは独立して設定される。具体的には、値ＳＩＤは、異なるＴＲＰ／セルのセルＩＤの値に関連付けられてもよい。例として、ＴＲＰ１からＲＳにＱＣＬされたＤＭＲＳポートまたはＤＭＲＳポートグループの場合、値ＳＩＤはＴＲＰ１のセルＩＤであってもよい。ＴＲＰ２からＲＳにＱＣＬされたＤＭＲＳポートまたはＤＭＲＳポートグループの場合、値ＳＩＤはＴＲＰ２のセルＩＤであってもよい。
【００６３】
一実施形態では、キャリア周波数範囲および／またはＲＳポートの数は、異なる値で設定されてもよい。キャリア周波数範囲および／またはＲＳポートの数が異なる値で設定される場合、スクランブリングＩＤの係数および／またはスクランブリングＩＤの値および／またはＲＳシーケンス生成の初期値のスクランブリングＩＤの値の数は異なる値を有してもよい。一例では、キャリア周波数範囲および／またはＲＳポートの数が異なる値で設定される場合、式（１）で、係数値ａ８および／またはａ１０および／またはｂｊは異なる値を有してもよい。別の例では、キャリア周波数範囲および／またはＲＳポートの数が異なる値で設定される場合、式（２）で、係数ａ８および／またはａ１０および／またはｂｊは異なる値を有してもよい。一例では、キャリア周波数範囲および／またはＲＳポートの数が異なる値で設定される場合、式（１）および／または式（２）で、値の数および／またはｎＳＣＩＤの値および／またはＳＩＤは異なってもよい。
【００６４】
いくつかの代替の実施形態では、初期値Ｃｉｎｉｔは以下によって計算されてもよい。
0006784341.tif 000006
ここで、ｉはＤＭＲＳポートグループのインデックスまたはＱＣＬパラメータセットである。
【００６５】
量
0006784341.tif 000007
は、ＱＣＬパラメータまたはＤＭＲＳポートグループにより与えられてもよい。上位レイヤから値が与えられていない場合、
0006784341.tif 000008
となり、これは、ＴＲＰまたはセルのセルＩＤである。そうでない場合、
0006784341.tif 000009
となり、これは、ＱＣＬパラメータで与えられる。
【００６６】
異なるＤＭＲＳグループまたは異なるＱＣＬパラメータの場合、値
0006784341.tif 000010
は個別に設定される。具体的には、値
0006784341.tif 000011
は、異なるＴＲＰ／セルのセルＩＤの値に関連付けられる。例として、ＴＲＰ１からＲＳにＱＣＬされたＤＭＲＳグループの場合、値
0006784341.tif 000012
はＴＲＰ１のセルＩＤになる。ＴＲＰ２からＲＳにＱＣＬされたＤＭＲＳグループの場合、値
0006784341.tif 000013
はＴＲＰ２のセルＩＤになる。
【００６７】
いくつかの実施形態では、ＰＤＣＣＨのためのＤＭＲＳのシーケンス生成のためのＤＭＲＳシーケンスおよび／または初期値は、異なるＴＲＰおよび／または異なるセルおよび／または異なるビームおよび／または異なるＵＥおよび／または異なるＵＥグループに対して、独立してまたは異なるように設定されてもよい。
【００６８】
いくつかの実施形態では、シンボルインデックスｌ、ＲＮＴＩ  ｎＲＮＴＩ、スクランブリング識別ｎＩＤのうちの少なくとも１つは、ＰＤＣＣＨのためのＤＭＲＳの生成のための初期値Ｃｉｎｉｔに関係してもよい。一実施形態では、例えば、異なるＴＲＰおよび／またはセルおよび／またはビームおよび／または異なるＵＥおよび／または異なるＵＥグループからの異なるＰＤＣＣＨに対して、シンボルインデックスｌの値および／またはＲＮＴＩ  ｎＲＮＴＩの値および／またはスクランブリング識別ｎＩＤの値は、異なってもよい。別の実施形態では、例えば、異なるＴＲＰおよび／またはセルおよび／またはビームおよび／または異なるＵＥおよび／または異なるＵＥグループからの異なるＰＤＣＣＨに対して、シンボルインデックスｌの値の数および／またはＲＮＴＩ  ｎＲＮＴＩの値の数および／またはスクランブリング識別ｎＩＤの値の数は、異なってもよい。別の実施形態では、例えば、異なるＴＲＰおよび／またはセルおよび／またはビームおよび／または異なるＵＥおよび／または異なるＵＥグループからの異なるＰＤＣＣＨに対して、シンボルインデックスｌの係数の値および／またはＲＮＴＩ  ｎＲＮＴＩの係数の値および／またはスクランブリング識別ｎＩＤの係数の値は異なってもよい。たとえば、ＵＥは、複数のＴＲＰから複数のＰＤＣＣＨを復号するように構成されてもよい。
【００６９】
いくつかの実施形態では、キャリア周波数範囲および／または帯域幅および／または物理リソースブロックの数が異なる値で設定される場合、シンボルインデックスｌの値、ＲＮＴＩ  ｎＲＮＴＩの値、スクランブリング識別ｎＩＤの値、シンボルインデックスｌの値の数、ＲＮＴＩ  ｎＲＮＴＩの値の数、スクランブリング識別ｎＩＤの値の数、シンボルインデックスｌの係数の値、ＲＮＴＩ  ｎＲＮＴＩの係数の値、スクランブリング識別ｎＩＤの係数の値のうち少なくとも１つは、異なってもよい。一例では、物理リソースブロックの数がＸより大きい場合、シンボルインデックスｌの数は２である。別の例では、物理リソースブロックの数がＸより小さい場合、シンボルインデックスｌの数は３である。一例では、物理リソースブロックの数がＸより大きい場合、シンボルインデックスｌの値は少なくとも｛０、１｝の少なくとも１つである。別の例では、物理リソースブロックの数がＸより小さい場合、シンボルインデックスｌの値は｛０、１、２｝の少なくとも１つである。一例では、搬送周波数範囲が最大で３ＧＨｚの場合、ｎＩＤの数は４未満または４に等しい。別の例では、搬送周波数範囲が３ＧＨｚから６ＧＨｚの場合、ｎＩＤの数は８未満または８に等しい。別の例では、搬送周波数範囲が６ＧＨｚから５２．６ＧＨｚの場合、ｎＩＤの数は６４未満または６４に等しい。
【００７０】
さらなる代替として、いくつかの実施形態では、初期値Ｃｉｎｉｔは以下によって計算されてもよい。
0006784341.tif 000014
【００７１】
複数のＴＲＰからの複数のＰＤＣＣＨの場合、ＵＥは異なるＤＭＲＳシーケンスでＰＤＣＣＨをブラインド復号してもよく、各シーケンスは異なるＴＲＰに従って初期値で生成される。たとえば、異なるセルの場合、ｎＲＮＴＩは異なる。１つのＴＲＰの異なるビームまたは異なるマルチユーザの場合、異なるｎＩＤが使用されてもよい。たとえば、ブロードキャストまたはマルチキャストＰＤＣＣＨの場合、ｎＩＤはゼロであると見なされる。別の例では、１つのＵＥに対して、１つのＴＲＰでサポートされる異なるＰＤＣＣＨ  ＤＭＲＳシーケンスの数は、２．＾ｉ以下である。
【００７２】
本開示の実施形態によれば、異なるシーケンスは、異なるＲＳポートおよび／またはＲＳポートグループ、例えば、１つのＵＥおよび／または１つのＰＤＳＣＨに対して生成されてもよい。異なるＲＳポートの場合、シーケンスは異なる初期値で生成されてもよい。たとえば、ＲＳポートｉの場合、シーケンスは、初期値Ｃｉｎｉｔ＿ｉで生成されてもよい。
【００７３】
いくつかの実施形態では、１つのＵＥのために設定されたＲＳポートはグループに分割されてもよい。異なるＲＳポートグループの場合、異なる初期値で異なるシーケンスが生成されてもよい。例として、ＲＳポートグループｊの場合、シーケンスは、初期値Ｃｉｎｉｔ＿ｊで生成される。
【００７４】
いくつかの実施形態では、シーケンスは、１つのＲＳポートグループ内の同じ初期値で生成されてもよい。たとえば、周波数領域および／または時間領域ＣＤＭを使用するＲＳポートグループ内のＲＳポートの場合、シーケンスは、ＲＳポートグループの同じ初期値で生成されるべきである。
【００７５】
いくつかの実施形態において、シーケンスは、ＲＳ送信のための時間および／または周波数領域において隣接するＲＥに対する同じ初期値で生成されてもよい。いくつかの実施形態において、シーケンスは、ＲＳ送信のための隣接シンボルの同じ初期値で生成されてもよい。いくつかの実施形態では、シーケンスは、時間および／または周波数領域内でＣＤＭに使用されるＲＥの同じ初期値で生成されてもよく、言い換えると、シーケンス値は、時間および／または周波数領域でＣＤＭに使用されるＲＥ上で同じである。
【００７６】
いくつかの実施形態では、ＲＳパターンの決定において、第１のＲＳポートと第２のポートが同じシンボルにマッピングされ、周波数領域で符号分割多重化（ＣＤＭ：Code Division Multiplexing）で多重化される場合、第１および第２のＲＳポートは同じＲＳベースシーケンスを使用する。たとえば、周波数領域においてＣＤＭで多重化されたＲＳポートは、ＲＳポートが１つの同じベースシーケンスに基づいて異なる巡回シフト値で設定されるようにして実現できる。別の例として、周波数領域のＣＤＭで多重化されたＲＳポートは、ＲＳポートが周波数領域内の２つのＲＥで異なる直交カバーコード値、たとえば｛１、１｝および｛１、−１｝で設定されるようにして実現できる。
【００７７】
あるいは、またはさらに、いくつかの実施形態では、第１のＲＳポートおよび第２のポートが同じリソース要素にマッピングされ、周波数領域においてＣＤＭで多重化される場合、第１および第２のＲＳポートは同じベースシーケンスを使用することを決定される。
【００７８】
ここで、図３Ａから３Ｆに関して、より多くの例について説明する。図３Ａから３Ｆは、本開示の実施形態によるＲＳパターンの概略図をそれぞれ示す。図３Ａに示すように、ポートＡとＣは、同じシンボルにマッピングされ、周波数領域においてＣＤＭ、例えば、巡回シフト（ポートＡとＣは、異なる巡回シフト値で設定される）で多重化される。この例では、ポートＢとＤは、同じシンボルにマッピングされ、周波数領域においてＣＤＭ、例えば、巡回シフト（ポートＢとＤは異なる巡回シフト値で設定される）で多重化される。ポートＡおよび／またはポートＣは、ポートＢおよび／またはポートＤとＦＤＭで多重化される。たとえば、ポートＡおよび／またはポートＣは、ポートＢおよび／またはポートＤとは異なるコームオフセット値（comb offset values）で設定される（たとえば、インターリーブ周波数分割多重アクセス（ＩＦＤＭＡ：Interleaved frequency division multiplexing access））。
【００７９】
図３Ｂを参照して説明される実施形態では、ポートＡおよびＣは、２つのシンボルにマッピングされ、周波数領域においてＣＤＭで多重化、例えば、巡回シフト（ポートＡとＣは、異なる巡回シフト値で設定される）される。ポートＢとＤは、２つのシンボルにマッピングされ、周波数領域においてＣＤＭで多重化、例えば、巡回シフト（ポートＢとＤは、異なる巡回シフト値で設定される）される。ポートＥとＧは、２つのシンボルにマッピングされ、周波数領域においてＣＤＭで多重化、例えば、巡回シフト（ポートＥとＧは、異なる巡回シフト値で設定される）される。ポートＦとＨは、２つのシンボルにマッピングされ、周波数領域においてＣＤＭで多重化、例えば、巡回シフト（ポートＦとＨは、異なる巡回シフト値で設定される）される。
【００８０】
図３Ｂの例では、ポートＡおよび／またはポートＣは、時間領域（すなわち、ＴＤ−ＯＣＣ）において、ポートＥおよび／またはポートＧを使用してＣＤＭで多重化される。たとえば、ポートＡおよび／またはポートＣは、時間領域において、ポートＥおよび／またはポートＧとは異なるＯＣＣ値で設定され、すなわち、ポートＡおよび／またはポートＣは、２つの隣接するリソース要素（ＲＥ：Resource Element）でＯＣＣ｛１、１｝で設定される。２つのＲＥが同じ周波数位置にあり、２つの異なるシンボルである図３Ｂに関して示される実施形態では、ポートＥおよび／またはポートＧは、２つの隣接するＲＥにおいてＯＣＣ｛１、−１｝で設定される。
【００８１】
さらに、ポートＢおよび／またはポートＤは、ポートＦおよび／またはポートＨで時間領域（たとえばＴＤ−ＯＣＣ）においてＣＤＭで多重化されてもよい。ポートＢおよび／またはポートＤは、ポートＦおよび／またはポートＨとは異なるＯＣＣ値で設定されてもよい。たとえば、ポートＢおよび／またはポートＤは、時間領域の２つの隣接するＲＥのＯＣＣ｛１、１｝で設定され、ポートＦおよび／またはポートＨは、時間領域の２つの隣接するＲＥのＯＣＣ｛１、−１｝で設定されてもよい。
【００８２】
ポートＡおよび／またはＣおよび／またはＥおよび／またはＧは、ポートＢおよび／またはＤおよび／またはＦおよび／またはＨとＦＤＭ方式で多重化されてもよい。例として、ポートＡおよび／またはＣおよび／またはＥおよび／またはＧは、周波数領域において、ポートＢおよび／またはＤおよび／またはＦおよび／またはＨとは異なるリソースで設定される。たとえば、ポートＡおよび／またはＣおよび／またはＥおよび／またはＧは、ポートＢおよび／またはＤおよび／またはＦおよび／またはＨとは異なるコームオフセット値で設定される。
【００８３】
図３Ｃを参照して説明される実施形態では、ポートＡおよびＢは、同じシンボルにマッピングされ、周波数領域においてＣＤＭで多重化、例えば、ＦＤ−ＯＣＣ（たとえば、ポートＡは、周波数領域において、２つの隣接するＲＥのＯＣＣ｛１、１｝で設定される）され、ここで、２つのＲＥは、同じシンボル内にあり、２つの異なる周波数リソース要素であり、ポートＢは、周波数領域の２つの隣接するＲＥのОＣＣ｛１、−１｝で設定されてもよい。
【００８４】
ポートＣとＤは、同じシンボルにマッピングされ、周波数領域においてＣＤＭで、例えば、ＦＤ−ＯＣＣで多重化される。
【００８５】
ポートＥとＦは、同じシンボルにマッピングされ、周波数領域においてＣＤＭで、例えば、ＦＤ−ＯＣＣで多重化される。
【００８６】
ポートＡおよび／またはポートＢは、ポートＣおよび／またはポートＤとともにＦＤＭで多重化される。たとえば、ポートＡおよび／またはポートＢは、ポートＣおよび／またはポートＤからの周波数領域のリソースで設定される。
【００８７】
ポートＡおよび／またはポートＢは、ポートＥおよび／またはポートＦとともにＦＤＭで多重化される。たとえば、ポートＡおよび／またはポートＢは、ポートＥおよび／またはポートＦからの周波数領域のリソースで設定される。
【００８８】
ポートＣおよび／またはポートＤは、ポートＥおよび／またはポートＦとともにＦＤＭで多重化される。たとえば、ポートＣおよび／またはポートＤは、ポートＥおよび／またはポートＦからの周波数領域のリソースで設定される。
【００８９】
図３Ｃに関して示した実施形態は、限定ではなく例示を目的としたものであることを理解されたい。当業者は、ポートＡおよび／またはＢのリソースと、ポートＣおよび／またはＤのリソースと、ポートＥおよび／またはＦのリソースは、隣接および／または非隣接であってもよいことを理解する。図３Ｄを参照して説明される実施形態は、１つのシンボルを有するＤＭＲＳ設定の別の例を示す。図３Ｄの例では、ポートＡ、Ｂ、ポートＣ、Ｄ、およびポートＥ、Ｆのリソースは、非隣接である。
【００９０】
図３Ｅを参照して説明される実施形態では、ポートＡ、Ｂは、同じシンボルにマッピングされ、周波数領域においてＣＤＭ、例えば、ＦＤ−ＯＣＣで多重化される。例として、ポートＡは、周波数領域の２つの隣接するＲＥのＯＣＣ｛１、１｝で設定され、ここで、２つのＲＥは、同じシンボルにあり、２つの異なる周波数リソース要素であり、ポートＢは、周波数領域において２つの隣接するＲＥのＯＣＣ｛１、−１｝で設定されてもよい。
【００９１】
ポートＣおよびＤは、同じシンボルにマッピングされ、周波数領域においてＣＤＭ、例えば、ＦＤ−ＯＣＣで多重化される。
【００９２】
ポートＥおよびＦは、同じシンボルにマッピングされ、周波数領域においてＣＤＭ、例えば、ＦＤ−ＯＣＣで多重化される。
【００９３】
ポートＡおよび／またはポートＢおよびポートＧおよび／またはＨは、時間領域においてＣＤＭ、たとえば、ＴＤ−ＯＣＣで多重化される。たとえば、ポートＡおよび／またはＢは、時間領域でＯＣＣ｛１、１｝で設定され、ポートＧおよび／またはＨは、時間領域でＯＣＣ｛１、−１｝で設定されてもよい。
【００９４】
ポートＣおよび／またはポートＤおよびポートＩおよび／またはＪは、時間領域においてＣＤＭ、たとえば、ＴＤ−ＯＣＣで多重化される。たとえば、ポートＣおよび／またはＤは、時間領域でＯＣＣ｛１、１｝で設定され、ポートＩおよび／またはＪは、時間領域でＯＣＣ｛１、−１｝で設定されてもよい。
【００９５】
ポートＥおよび／またはポートＦおよびポートＫおよび／またはＬは、時間領域においてＣＤＭ、たとえば、ＴＤ−ＯＣＣで多重化される。たとえば、ポートＥおよび／またはＦは、時間領域でＯＣＣ｛１、１｝で設定され、ポートＫおよび／またはＬは、時間領域でＯＣＣ｛１、−１｝で設定されてもよい。
【００９６】
ポートＡおよび／またはポートＢおよび／またはポートＧおよび／またはポートＨは、ポートＣおよび／またはポートＤおよび／またはポートＩおよび／またはポートＪとＦＤＭで多重化される。たとえば、ポートＡおよび／またはポートＢおよび／またはポートＧおよび／またはポートＨは、ポートＣおよび／またはポートＤおよび／またはポートＩおよび／またはポートＪからの周波数領域のリソースで設定される。
【００９７】
ポートＣおよび／またはポートＤおよび／またはポートＩおよび／またはポートＪは、ポートＥおよび／またはポートＦおよび／またはポートＫおよび／またはポートＬとＦＤＭで多重化される。たとえば、ポートＣおよび／またはポートＤおよび／またはポートＩおよび／またはポートＪは、ポートＥおよび／またはポートＦおよび／またはポートＫおよび／またはポートＬからの周波数領域のリソースで設定される。
【００９８】
ポートＡおよび／またはポートＢおよび／またはポートＧおよび／またはポートＨは、ポートＥおよび／またはポートＦおよび／またはポートＫおよび／またはポートＬとＦＤＭで多重化される。たとえば、ポートＡおよび／またはポートＢおよび／またはポートＧおよび／またはポートＨは、ポートＥおよび／またはポートＦおよび／またはポートＫおよび／またはポートＬからの周波数領域のリソースで設定される。
【００９９】
図３Ｆの例では、ポートＡ、Ｂ、Ｇ、Ｈ、ポートＣ、Ｄ、Ｉ、Ｊ、およびポートＥ、Ｆ、Ｋ、Ｌのリソースは、非隣接である。
【０１００】
２２０で、ＲＳパターンの情報は、端末デバイスに送信される。いくつかの実施形態では、ＲＳパターンの情報は、例えば、無線リソース制御（ＲＲＣ：Radio Resource Control）シグナリング、メディアアクセス制御（ＭＡＣ：Media Access Control）レイヤなどの上位レベルシグナリングを介して送信されてもよい。代替的または追加的に、ＲＳパターンの情報は、ダウンリンク制御情報（ＤＣＩ：Downlink Control Information）などの動的シグナリング、またはダウンリンクチャネルで送信される他の適切なシグナリングを介して送信されてもよい。
【０１０１】
いくつかの実施形態では、ネットワークデバイスは、ＲＳパターンの情報をＱＣＬパラメータセットに含め、ＱＣＬパラメータセットを端末デバイスに送信してもよい。ＲＳパターンの指示のさらなる詳細は、図４Ａから４Ｅを参照して以下で議論される。
【０１０２】
図４Ａから４Ｅは、それぞれ、本開示の実施形態によるＲＳパターンの指示の概略図を示し、例えば、８ポートを有するＰＤＳＣＨが採用されている。図４Ａの例では、１つのＴＲＰから８つのポート、つまりＴＲＰ１があり、これらの８つのポートは、ＱＣＬパラメータセット１でＱＣＬされてもよい。ＱＣＬパラメータセット１は、ＤＭＲＳのためのスクランブリングＩＤ１を含み、１つのシーケンスが初期値で生成される。
【０１０３】
図４Ｂの例では、最初の４つのポート（ポートＡ、Ｃ、Ｅ、Ｇ）は、ＴＰＲ１に属し、ＱＣＬパラメータセット２でＱＣＬされる。別の４つのポート（ポートＢ、Ｄ、Ｆ、Ｈ）は、別のＴＲＰ２に属し、ＱＣＬパラメータセット３でＱＣＬされる。ＱＣＬパラメータセット２および３は、それぞれＤＭＲＳのためのスクランブリングＩＤ２およびＩＤ３を含み、シーケンスが独立した初期値で生成される。
【０１０４】
図４Ｃは、１つのＴＲＰ、つまりＴＲＰ１からの８つのポートを示す。８つのポートのうち、最初の４つのポート（ポートＡ、Ｃ、Ｅ、Ｇ）は、１つのＤＭＲＳポートグループに属し、１つのＲＳでＱＣＬされる。他の４つのポート（ポートＢ、Ｄ、Ｆ、Ｈ）は、別のＤＭＲＳポートグループに属し、別のＲＳでＱＣＬされる。ＱＣＬパラメータセット４および５は、ＤＭＲＳのスクランブリングＩＤ４およびＩＤ５をそれぞれ含む。
【０１０５】
いくつかの実施形態では、スクランブリングＩＤは、同じＴＲＰについて同じである。したがって、スクランブリングＩＤ４は、図４Ｃに関して示された例ではスクランブリングＩＤ５に等しい。ＤＭＲＳが、図４Ａから４Ｃに関して示された実施形態における同じＴＲＰ１からのものである場合、スクランブリングＩＤ１＝スクランブリングＩＤ２＝スクランブリングＩＤ４＝スクランブリングＩＤ５である。
【０１０６】
いくつかの実施形態では、ＵＥは、ＲＳポートのセットで設定でき、ＲＳポートの数はＮであり、たとえば、ポートインデックスは（Ｐ１、Ｐ２、Ｐ３、…ＰＮ）であり、Ｎは整数であり、１＜＝Ｎ＜＝１２である。たとえば、Ｎは｛１、４、６、８、１２｝の少なくとも１つである。いくつかの実施形態では、ＲＳポートのサブセットは、Ｎ個のＲＳポートのセットから選択されてもよく、ＲＳポートの各サブセットは、１つのＲＳグループであってもよく、グループ内のＲＳポートは、ＱＣＬされる。いくつかの実施形態では、Ｑが整数でＱ＞＝１であるＲＳポートのＱグループがあり、各グループ内のＲＳポートの数はＭｑであり、Ｍｑは整数であり、１＜＝Ｍｑ＜＝Ｎであり、ｑは整数であり、１＜＝ｑ＜＝Ｑである。グループごとに、ＲＳポートの数は独立していてもよく、つまり、各グループのＲＳポートの数は同じでも異なっていてもよい。各グループについて、ＲＳポートインデックスは独立していてもよく、つまり、各グループ内のＲＳポートインデックスは、オーバーラップまたは非オーバーラップまたは部分的にオーバーラップしていてもよい。例えば、２つのグループ内のＲＳポートの数およびＲＳポートインデックスは同じであってもよく、２つのＲＳポートグループに対応するＱＣＬパラメータの少なくとも１つは異なっていてもよい。
【０１０７】
いくつかの実施形態では、いくつかのＲＳポートは常に１つのＱＣＬグループに属してもよい。いくつかの実施形態では、周波数領域においてＣＤＭおよび／または時間領域においてＣＤＭで多重化されたＲＳポートは、１つのＱＣＬグループにあるべきである。たとえば、図３Ａを例にとると、ＲＳポートＡとＣは、周波数領域においてＣＤＭで多重化され、これら２つのポートは、１つのＱＣＬグループに属し、ＲＳポートＢとＤは、周波数領域においてＣＤＭで多重化され、これら２つのポートは、１つのＱＣＬグループに属すべきである。図３Ｂを例にとる別の例では、ＲＳポートＡとＣは周波数領域においてＣＤＭで多重化され、これら２つのポートは１つのＱＣＬグループに属すべきである。ＲＳポートＢおよびＤは、周波数領域においてＣＤＭで多重化され、これら２つのポートは１つのＱＣＬグループに属すべきである。ＲＳポートＥおよびＧは、周波数領域においてＣＤＭで多重化され、これら２つのポートは１つのＱＣＬグループに属すべきである。ＲＳポートＦおよびＨは、周波数領域においてＣＤＭで多重化され、これら２つのポートは１つのＱＣＬグループに属すべきである。別の例では、図３Ｂを例にとると、ＲＳポートＡとＣは、周波数領域においてＣＤＭで多重化され、ポートＥとＧは、周波数領域においてＣＤＭで多重化され、ポートＡおよび／またはＣは、時間領域においてＣＤＭでポートＥおよび／またはＧと多重化され、これら４つのポートは、１つのＱＣＬグループに属してもよい。ＲＳポートＢおよびＤは、周波数領域においてＣＤＭで多重化され、ＲＳポートＦおよびＨは、周波数領域においてＣＤＭで多重化され、ポートＢおよび／またはＤは、時間領域においてポートＦおよび／またはＨとＣＤＭで多重化され、これら４つのポートは、１つのＱＣＬグループに属する。別の例では、図３Ｃを例にとると、ポートＡとＢは、１つのＱＣＬグループに属し、ポートＣとＤは、１つのＱＣＬグループに属し、ポートＥとＦは、１つのＱＣＬグループに属する。別の例では、図３Ｅを例にとると、ポートＡとＢは、１つのＱＣＬグループ、ポートＣとＤは、１つのＱＣＬグループ、ポートＥとＦは、１つのＱＣＬグループ、ポートＧとＨは、１つのＱＣＬグループ、ポートＩとＪは、１つのＱＣＬグループ、ポートＫとＬは、１つのＱＣＬグループに属する。別の例では、図３Ｅを例にとると、ポートＡ、Ｂ、Ｇ、Ｈは、１つのＱＣＬグループ、ポートＣ、Ｄ、Ｉ、Ｊは、１つのＱＣＬグループ、ポートＥ、Ｆ、Ｋ、Ｌは、１つのＱＣＬグループに属する。
【０１０８】
図４Ｄは、それぞれ、本開示の実施形態によるＲＳパターンの指示の概略図を示し、例えば、８ポートを有するＰＤＳＣＨが採用されている。図４Ｄの例では、８つのポートＤＭＲＳがあり、これらの８つのポートの少なくとも１つのポートは、１つのグループ、たとえば、グループｑにグループ化され、このグループ内のＲＳポートは、ＱＣＬパラメータセット、例えば、ＱＣＬパラメータセットｑでＱＣＬされてもよい。１つの実施形態では、１つのグループ内のＲＳポートに対するＲＳシーケンスは、ＱＣＬパラメータセットｑ内の少なくとも１つのパラメータに関係する初期値で生成されてもよい。
【０１０９】
図４Ｅは、それぞれ、本開示の実施形態によるＲＳパターンの指示の概略図を示し、例えば、１２ポートを有するＰＤＳＣＨが採用されている。図４Ｅの例では、１２個のポートＤＭＲＳがあり、これらの１２個のポートの少なくとも１つのポートは、１つのグループ内、例えば、グループｑでグループ化され、このグループ内のＲＳポートは、１つのＱＣＬパラメータセット、例えば、ＱＣＬパラメータセットｑでＱＣＬされてもよい。１つの実施形態では、１つのグループ内のＲＳポートに対するＲＳシーケンスは、ＱＣＬパラメータセットｑ内の少なくとも１つのパラメータに関係する初期値で生成されてもよい。
【０１１０】
ここで、本開示のいくつかの実施形態によるＲＳ設定のための方法５００のフローチャートを示す図５を参照する。方法５００は、端末デバイス、例えば、端末デバイス１２０、または任意の他の適切なデバイスで実施されることが理解される。
【０１１１】
方法５００は、５１０で開始され、端末デバイス１２０は、ネットワークデバイスから、複数のＲＳポートのための１つ以上のＲＳパターンの情報を受信する。ＲＳパターンは、１つ以上のＲＳポートを介してネットワークデバイスと端末デバイスとの間で送信されるＲＳの設定を示す。いくつかの実施形態では、ＲＳパターンは、１つまたは複数のＲＳポートを介して端末デバイスに送信されるＲＳの設定を示す。代替的または追加的に、ＲＳパターンは、１つまたは複数のＲＳポートを介して端末デバイスから送信されるＲＳの設定も示す。ＲＳパターンは、上述の方法２００に基づいて決定される。
【０１１２】
いくつかの実施形態では、端末デバイスは、ＲＳポートを介してＲＳを受信する。ＲＳは、例えば、ＤＭＲＳシーケンスであってもよい。次いで、端末デバイスは、ＲＳパターンに基づいてＲＳを復調してもよい。
【０１１３】
ここで、本開示の実施形態による装置６００のブロック図を示す図６を参照する。装置６００は、ネットワークデバイス、例えば、ネットワークデバイス１１０または１３０、または任意の他の適切なデバイスで実装され得ることが理解される。
【０１１４】
示されるように、装置６００は、決定部６１０および送信部６２０を含む。決定部６１０は、複数のＲＳポートのための１つ以上の参照信号（ＲＳ：Reference Signal）パターンを決定するように構成され、ＲＳパターンは１つ以上のＲＳポートを介して端末デバイスに送信されるＲＳの設定を示す。第２の送信部６２０は、ＲＳパターンの情報を端末デバイスに送信するように構成される。
【０１１５】
一実施形態では、決定部６１０は、ＲＳポートを複数のＲＳポートグループに分割し、複数のＲＳポートグループのそれぞれのＲＳパターンを決定するように構成されてもよい。
【０１１６】
一実施形態では、ＲＳポートグループはＱＣＬグループである。
【０１１７】
一実施形態では、決定部６１０は、ＲＳポート、または、ＲＳポートグループ内のＲＳポートを介して送信されるＲＳを生成するための初期値と、ＲＳポートまたはＲＳポートグループによって使用されるシンボルの情報と、ＲＳポートまたはＲＳポートグループによって使用されるリソース要素の情報と、ＲＳポートまたはＲＳポートグループの多重化モードと、ＲＳポートグループの情報と、のうちの少なくとも１つを決定するように構成されてもよい。
【０１１８】
一実施形態では、決定部６１０は、スロットインデックスと、シンボルインデックスと、セルの識別と、ネットワークデバイスの識別と、端末デバイスの識別と、ＲＮＴＩと、ＣＰタイプと、リンクタイプと、ＲＳポートグループのインデックスと、ＱＣＬパラメータセットのインデックスと、スクランブリング識別パラメータと、ＤＭＲＳ設定タイプの識別と、帯域幅部分の識別と、キャリアコンポーネントの識別と、スクランブル識別パラメータとサブキャリア間隔の識別とが示される上位レイヤと、のうちの少なくとも１つに基づいて初期値を決定するように構成されてもよい。
【０１１９】
一実施形態では、決定部６１０は、第１のＲＳポートおよび第２のポートが同じシンボルにマッピングされ、周波数領域においてＣＤＭで多重化される場合、第１および第２のＲＳポートが同じＲＳベースシーケンスを使用することと、第１のＲＳポートと第２のポートが同じリソース要素にマッピングされ、周波数領域においてＣＤＭで多重化される場合、第１と第２のＲＳポートが同じＲＳベースシーケンスを使用することと、を決定するように構成されてもよい。
【０１２０】
一実施形態では、送信部６２０は、ＱＣＬパラメータセットにＲＳパターンの情報を含め、ＱＣＬパラメータセットを端末デバイスに送信するように構成されてもよい。
【０１２１】
一実施形態では、ＲＳは、ＤＭＲＳと、ＣＳＩ−ＲＳと、ＳＲＳと、ＰＴＲＳと、ＴＲＳと、のうちの少なくとも１つを含む。
【０１２２】
ここで、図７を参照すると、図７は、本開示の実施形態に従う装置７００のブロック図を示す。装置７００は、端末デバイス、例えば、端末デバイス１２０、または任意の他の適切なデバイスで実施され得ることが理解される。
【０１２３】
示されるように、装置７００は、ネットワークデバイスから、複数のＲＳポートのための１つ以上のＲＳパターンの情報を受信するように構成された受信部７１０を含む。ＲＳパターンは、１つ以上のＲＳポートを介して端末デバイスに送信されるＲＳの設定を示す。
【０１２４】
一実施形態では、受信部７１０は、ＲＳポートを介してＲＳを受信するようにさらに構成されてもよい。装置７００は、ＲＳパターンに基づいてＲＳを復調するように構成された復調部をさらに含んでもよい。
【０１２５】
一実施形態では、ＲＳは、ＤＭＲＳと、ＣＳＩ−ＲＳと、ＳＲＳと、ＰＴＲＳと、ＴＲＳと、のうちの少なくとも１つを含む。
【０１２６】
また、装置６００または７００は、現在知られているかまたは将来開発されるいずれかの適切な技術によってそれぞれ実装され得ることにも留意されたい。さらに、図２または図５に示される単一のデバイスは、代わりに複数のデバイスに別々に実装されてもよく、複数の分離されたデバイスは単一のデバイスに実装されてもよい。本開示の範囲は、これらの点で限定されない。
【０１２７】
装置６００または７００は、図２または５を参照して説明した機能を実施するように構成できることに留意されたい。したがって、方法２００に関して説明した特徴は、装置６００の対応するコンポーネントに適用でき、方法５００に関して説明した特徴は、装置６００の対応するコンポーネントに適用することができる。さらに、装置６００または７００のコンポーネントは、ハードウェア、ソフトウェア、ファームウェア、および／またはそれらの任意の組み合わせで実施できることに留意されたい。例えば、装置６００または７００の構成要素は、回路、プロセッサ、または他の適切なデバイスによってそれぞれ実装されてもよい。当業者は、前述の例が例示のためだけであり、限定のためではないことを理解する。
【０１２８】
本開示のいくつかの実施形態では、装置６００または７００は、少なくとも１つのプロセッサを備えてもよい。本開示の実施形態と共に使用するのに適した少なくとも１つのプロセッサは、例として、将来既知または開発される汎用および専用プロセッサの両方を含むことができる。装置６００または７００は、少なくとも１つのメモリをさらに備えてもよい。少なくとも１つのメモリは、例えば、半導体メモリデバイス、例えば、ＲＡＭ、ＲＯＭ、ＥＰＲＯＭ、ＥＥＰＲＯＭ、およびフラッシュメモリデバイスを含んでもよい。少なくとも１つのメモリは、コンピュータ実行可能命令のプログラムを保存するために使用されてもよい。プログラムは、高レベルおよび／または低レベルの準拠または解釈可能なプログラミング言語で作成できる。実施形態によれば、コンピュータ実行可能命令は、少なくとも１つのプロセッサを用いて、上述の方法２００に従って装置６００を少なくとも実行させ、上述の方法５００に従って装置７００を少なくとも実行させるように構成することができる。
【０１２９】
上記の説明に基づいて、当業者は、本開示が装置、方法、またはコンピュータプログラム製品で実施され得ることを理解する。一般に、様々な例示的な実施形態は、ハードウェアまたは専用回路、ソフトウェア、ロジック、またはそれらの任意の組み合わせで実装され得る。例えば、いくつかの態様はハードウェアで実装され、他の態様はコントローラ、マイクロプロセッサまたは他のコンピューティングデバイスによって実行されるファームウェアまたはソフトウェアで実装されてもよいが、開示はそれに限定されない。本開示の例示的な実施形態の様々な態様は、ブロック図、フローチャート、または他の何らかの画像表現を使用して例示および説明されてもよく、本明細書で説明されるこれらのブロック、装置、システム、技術または方法は、非限定的な例として、ハードウェア、ソフトウェア、ファームウェア、専用回路またはロジック、汎用ハードウェアまたはコントローラまたは他のコンピューティングデバイス、またはそれらの組み合わせに実装されてもよい。
【０１３０】
図６または７に示されているさまざまなブロックは、方法のステップ、および／またはコンピュータプログラムコードの動作から生じる動作、および／または関連する機能を実行するように構築された複数の結合論理回路要素として見ることができる。本開示の例示的な実施形態の少なくともいくつかの態様は、集積回路チップおよびモジュールなどの様々なコンポーネントで実施することができ、本開示の例示的な実施形態は、集積回路、ＦＰＧＡまたはＡＳＩＣとして具現化される装置で実現することができ、これは、本開示の例示的な実施形態に従って動作するように構成可能である。
【０１３１】
図８は、本開示の実施形態を実施するのに適したデバイス８００の簡略化されたブロック図である。示されるように、デバイス８００は、１つまたは複数のプロセッサ８１０、プロセッサ８１０に結合された１つまたは複数のメモリ８２０、プロセッサ８１０に結合された１つまたは複数の送信機および／または受信機（ＴＸ／ＲＸ）８４０を含む。
【０１３２】
プロセッサ８１０は、ローカル技術ネットワークに適した任意のタイプであってもよく、汎用コンピュータ、専用コンピュータ、マイクロプロセッサ、デジタル信号プロセッサ（ＤＳＰ：Digital Signal Processor）、および、例えば、非限定的なマルチコアプロセッサアーキテクチャに基づくプロセッサのうちの１つ以上を含んでもよい。デバイス８００は、メインプロセッサを同期させるクロックに時間的に従属する特定用途向け集積回路チップなどの複数のプロセッサを有してもよい。
【０１３３】
メモリ８２０は、ローカル技術ネットワークに適した任意のタイプのものであってもよく、非限定的な例として、非一時的なコンピュータ可読記憶媒体、半導体ベースのメモリデバイス、磁気メモリデバイスおよびシステム、光メモリデバイスおよびシステム、固定メモリおよびリムーバブルメモリなどの任意の適切なデータストレージ技術を使用して実装されてもよい。
【０１３４】
メモリ８２０は、プログラム８３０の少なくとも一部を格納する。ＴＸ／ＲＸ８４０は、双方向通信用である。ＴＸ／ＲＸ８４０は、通信を容易にするために少なくとも１つのアンテナを有するが、実際には、本開示で言及される端末デバイスまたはネットワークデバイスはいくつかのものを有し得る。通信インターフェイスは、他のネットワーク要素との通信に必要な任意のインターフェイスを表す。
【０１３５】
プログラム８３０は、関連するプロセッサ８１０によって実行されると、図２および図５を参照して本明細書で説明するように、デバイス８００が本開示の実施形態に従って動作することを可能にするプログラム命令を含むと想定される。すなわち、本開示の実施形態は、デバイス８００のプロセッサ８１０により実行可能なコンピュータソフトウェアにより、またはハードウェアにより、またはソフトウェアとハードウェアの組み合わせにより実装され得る。
【０１３６】
この仕様には多くの特定の実装の詳細が含まれているが、これらは開示の範囲またはクレームされているものの制限としてではなく、特定の開示の特定の実施形態に特有の特徴の説明として解釈されるべきである。別個の実施形態の文脈で本明細書に記載されている特定の特徴は、単一の実施形態に組み合わせて実装することもできる。逆に、単一の実施形態の文脈で説明される様々な特徴は、複数の実施形態で別々に、または任意の適切なサブコンビネーションで実装することもできる。さらに、特定の組み合わせで機能するものとして機能を上記で説明し、最初はそのように主張している場合もあるが、クレームされた組み合わせからの１つまたは複数の機能は、場合によっては組み合わせから削除でき、クレームされた組み合わせは、サブコンビネーションまたはサブコンビネーションのバリエーションに向けられる。
【０１３７】
同様に、操作は特定の順序で図面に描かれているが、これは、望ましい結果を達成するために、そのような操作が示された特定の順序または順番で実行されること、またはすべての説明された操作が実行されることを要求するものとして理解されるべきではない。特定の状況では、マルチタスクと並列処理が有利な場合がある。さらに、上記の実施形態における様々なシステムコンポーネントの分離は、すべての実施形態においてそのような分離を必要とするものとして理解されるべきではなく、記述されたプログラムコンポーネントおよびシステムは一般に単一のソフトウェア製品に、または、複数のソフトウェア製品に、一緒に統合されるか、またはパッケージ化されることができることを理解されたい。
【０１３８】
本開示の前述の例示的な実施形態への様々な修正、適合は、添付の図面と併せて読めば、前述の説明を考慮して関連技術の当業者に明らかになる。ありとあらゆる修正は、依然として本開示の非限定的かつ例示的な実施形態の範囲内に含まれる。さらに、本明細書に記載の開示の他の実施形態は、前述の説明および関連する図面に提示された教示の利益を有する本開示のこれらの実施形態が関係する当業者には想到し得る。
【０１３９】
したがって、本開示の実施形態は開示された特定の実施形態に限定されるものではなく、修正および他の実施形態は添付の特許請求の範囲内に含まれることが意図されることを理解されたい。ここでは特定の用語が使用されているが、それらは一般的かつ説明的な意味でのみ使用され、限定の目的ではない。
【図１Ａ】
0006784341.tif 000015
【図１Ｂ】
0006784341.tif 000016
【図２】
0006784341.tif 000017
【図３Ａ】
0006784341.tif 000018
【図３Ｂ】
0006784341.tif 000019
【図３Ｃ】
0006784341.tif 000020
【図３Ｄ】
0006784341.tif 000021
【図３Ｅ】
0006784341.tif 000022
【図３Ｆ】
0006784341.tif 000023
【図４Ａ】
0006784341.tif 000024
【図４Ｂ】
0006784341.tif 000025
【図４Ｃ】
0006784341.tif 000026
【図４Ｄ】
0006784341.tif 000027
【図４Ｅ】
0006784341.tif 000028
【図５】
0006784341.tif 000029
【図６】
0006784341.tif 000030
【図７】
0006784341.tif 000031
【図８】
0006784341.tif 000032